(57)【要約】      （修正有）【課題】意図しない設定でジョブが実行されないようにして、情報漏洩や不具合の発生を未然に防止する設定制御プログラム及び設定制御方法を提供する。【解決手段】ジョブを作成する指示装置とジョブを処理する処理装置とを含むシステムにおいて、指示装置は、付加情報の入力を要する所定の設定項目を含む設定画面を表示部に表示させ、設定画面で所定の設定項目が選択されたら、付加情報を入力させる第１処理と、設定画面の設定に従ってジョブを作成し、当該ジョブを処理装置に出力する第２処理と、を実行する。第２処理では、付加情報の入力完了が指示されない状態で、ＯＳが管理するＵＩの操作によりジョブ開始が指示された場合は、ジョブをキャンセル可能にする。【選択図】図９
2019125071.tif 000002
【特許請求の範囲】
【請求項１】
ジョブを作成する指示装置と、前記ジョブを処理する処理装置と、を含むシステムにおける、前記指示装置で動作する設定制御プログラムであって、
前記指示装置に、
付加情報の入力を要する所定の設定項目を含む設定画面を表示部に表示させ、前記設定画面で前記所定の設定項目が選択されたら、前記付加情報を入力させる第１処理、
前記設定画面の設定に従ってジョブを作成し、当該ジョブを前記処理装置に出力する第２処理、を実行させ、
前記第２処理では、前記付加情報の入力完了が指示されない状態で、ＯＳが管理するＵＩの操作によりジョブ開始が指示された場合は、前記ジョブをキャンセル可能にする、
ことを特徴とする設定制御プログラム。
【請求項２】
前記第１処理では、前記設定画面で前記所定の設定項目が選択されたら、前記設定画面内に、前記付加情報を入力可能にするＵＩと、前記付加情報の入力完了を指示する指示部と、を表示し、
前記第２処理では、前記指示部が操作されずに、前記ジョブ開始が指示された場合は、前記ジョブに不正終了情報を付加する、
ことを特徴とする請求項１に記載の設定制御プログラム。
【請求項３】
前記第１処理では、前記設定画面で前記所定の設定項目が選択されたら、フラグを設定し、前記指示部が操作されたら、前記フラグを削除し、
前記第２処理では、前記フラグが設定されている状態で、前記ジョブ開始が指示された場合は、前記ジョブに前記不正終了情報を付加する、
ことを特徴とする請求項２に記載の設定制御プログラム。
【請求項４】
前記第１処理では、前記設定画面で前記所定の設定項目が選択されたら、前記表示部に仮想ウィンドウを表示し、前記仮想ウィンドウ内に、前記付加情報を入力可能にするＵＩと、前記付加情報の入力完了を指示する指示部と、を表示し、
前記第２処理では、前記指示部が操作されずに、前記ジョブ開始が指示された場合は、前記ジョブに不正終了情報を付加する、
ことを特徴とする請求項１に記載の設定制御プログラム。
【請求項５】
前記第１処理では、前記仮想ウィンドウが表示されたら、フラグを設定し、前記仮想ウィンドウで前記指示部が操作されたら、前記フラグを削除し、
前記第２処理では、前記フラグが設定されている状態で、前記ジョブ開始が指示された場合は、前記ジョブに前記不正終了情報を付加する、
ことを特徴とする請求項４に記載の設定制御プログラム。
【請求項６】
前記指示装置に、更に、
前記設定画面を再度、表示する際に、直前のジョブに前記不正終了情報が付加されている場合は、当該不正終了情報を付加する原因となった前記所定の設定項目に対応する前記仮想ウィンドウを表示する第３処理を実行させる、
ことを特徴とする請求項４又は５に記載の設定制御プログラム。
【請求項７】
前記第２処理では、前記ジョブに前記不正終了情報を付加した場合は、前記表示部に、ユーザが意図しない設定でジョブ開始が指示された旨を表示する、
ことを特徴とする請求項２乃至６のいずれか一に記載の設定制御プログラム。
【請求項８】
前記第２処理では、前記表示部に、前記ジョブに前記不正終了情報を付加する原因となった前記所定の設定項目を特定する情報を表示する、
ことを特徴とする請求項７に記載の設定制御プログラム。
【請求項９】
前記ジョブは、プリンタに印刷を指示する印刷ジョブであり、
前記付加情報の入力を要する設定項目は、セキュリティ印刷に関する設定項目であり、
前記付加情報は、ＩＤ及びパスワードである、
ことを特徴とする請求項１乃至８のいずれか一に記載の設定制御プログラム。
【請求項１０】
ジョブを作成する指示装置と、前記ジョブを処理する処理装置と、を含むシステムにおける設定制御方法であって、
前記指示装置は、
付加情報の入力を要する所定の設定項目を含む設定画面を表示部に表示させ、前記設定画面で前記所定の設定項目が選択されたら、前記付加情報を入力させる第１処理と、
前記設定画面の設定に従ってジョブを作成し、当該ジョブを前記処理装置に出力する第２処理と、を実行し、
前記第２処理では、前記付加情報の入力完了が指示されない状態で、ＯＳが管理するＵＩの操作によりジョブ開始が指示された場合は、前記ジョブをキャンセル可能にする、
ことを特徴とする設定制御方法。
【請求項１１】
前記第１処理では、前記設定画面で前記所定の設定項目が選択されたら、前記設定画面内に、前記付加情報を入力可能にするＵＩと、前記付加情報の入力完了を指示する指示部と、を表示し、
前記第２処理では、前記指示部が操作されずに、前記ジョブ開始が指示された場合は、前記ジョブに不正終了情報を付加する、
ことを特徴とする請求項１０に記載の設定制御方法。
【請求項１２】
前記第１処理では、前記設定画面で前記所定の設定項目が選択されたら、フラグを設定し、前記指示部が操作されたら、前記フラグを削除し、
前記第２処理では、前記フラグが設定されている状態で、前記ジョブ開始が指示された場合は、前記ジョブに前記不正終了情報を付加する、
ことを特徴とする請求項１１に記載の設定制御方法。
【請求項１３】
前記第１処理では、前記設定画面で前記所定の設定項目が選択されたら、前記表示部に仮想ウィンドウを表示し、前記仮想ウィンドウ内に、前記付加情報を入力可能にするＵＩと、前記付加情報の入力完了を指示する指示部と、を表示し、
前記第２処理では、前記指示部が操作されずに、前記ジョブ開始が指示された場合は、前記ジョブに不正終了情報を付加する、
ことを特徴とする請求項１０に記載の設定制御方法。
【請求項１４】
前記第１処理では、前記仮想ウィンドウが表示されたら、フラグを設定し、前記仮想ウィンドウで前記指示部が操作されたら、前記フラグを削除し、
前記第２処理では、前記フラグが設定されている状態で、前記ジョブ開始が指示された場合は、前記ジョブに前記不正終了情報を付加する、
ことを特徴とする請求項１３に記載の設定制御方法。
【請求項１５】
前記指示装置は、更に、
前記設定画面を再度、表示する際に、直前のジョブに前記不正終了情報が付加されている場合は、当該不正終了情報を付加する原因となった前記所定の設定項目に対応する前記仮想ウィンドウを表示する第３処理を実行する、
ことを特徴とする請求項１３又は１４に記載の設定制御方法。
【請求項１６】
前記第２処理では、前記ジョブに前記不正終了情報を付加した場合は、前記表示部に、ユーザが意図しない設定でジョブ開始が指示された旨を表示する、
ことを特徴とする請求項１１乃至１５のいずれか一に記載の設定制御方法。
【請求項１７】
前記第２処理では、前記表示部に、前記ジョブに前記不正終了情報を付加する原因となった前記所定の設定項目を特定する情報を表示する、
ことを特徴とする請求項１６に記載の設定制御方法。
【請求項１８】
前記処理装置は、前記ジョブに前記不正終了情報が付加されているかを判断し、前記ジョブに前記不正終了情報が付加されている場合は、当該ジョブをキャンセルする、
ことを特徴とする請求項１０乃至１７のいずれか一に記載の設定制御方法。
【請求項１９】
前記指示装置に、前記処理装置に出力するジョブを取得するアプリケーションがインストールされ、
前記アプリケーションは、前記ジョブに前記不正終了情報が付加されているかを判断し、前記ジョブに前記不正終了情報が付加されている場合は、当該ジョブを前記処理装置に出力しない、
ことを特徴とする請求項１０乃至１７のいずれか一に記載の設定制御方法。
【請求項２０】
前記処理装置又は前記アプリケーションは、前記ジョブに前記不正終了情報が付加されている場合は、表示部に、ユーザが意図しない設定でジョブ開始が指示された可能性があるために当該ジョブをキャンセルした旨を表示する、
ことを特徴とする請求項１８又は１９に記載の設定制御方法。
【請求項２１】
前記処理装置又は前記アプリケーションは、前記表示部に、前記ジョブに前記不正終了情報を付加する原因となった前記所定の設定項目を特定する情報を表示する、
ことを特徴とする請求項２０に記載の設定制御方法。
【請求項２２】
前記ジョブは、プリンタに印刷を指示する印刷ジョブであり、
前記付加情報の入力を要する設定項目は、セキュリティ印刷に関する設定項目であり、
前記付加情報は、ＩＤ及びパスワードである、
ことを特徴とする請求項１０乃至２１のいずれか一に記載の設定制御方法。
【発明の詳細な説明】
【技術分野】
【０００１】
本発明は、設定制御プログラム及び設定制御方法に関し、特に、意図しない設定でジョブが実行されないように制御する設定制御プログラム及び設定制御方法に関する。
【背景技術】
【０００２】
Microsoft（登録商標、以下省略）社が提供するＯＳ（Operating System）としてWindows（登録商標、以下省略）が知られており、クライアント装置では、Windows上で動作するプリンタドライバを用いて印刷設定を行い、印刷設定情報を付加したジョブをプリンタに送信して印刷処理を行っている。
【０００３】
その際、例えば、セキュリティ印刷などの、設定のオン／オフ以外にＩＤやパスワードといった付加情報の入力が必要な設定項目では、モーダルウィンドウ（処理が終了するまで他を操作できないウィンドウ）を表示して、ユーザの意思で付加情報の入力完了が指示されたことが分かるようにしていた。また、モーダルウィンドウを表示することで、不正な値が入力されたときにエラー表示を行うことができた。さらに、パスワードを「なし」に設定することが可能な場合もあり、この場合は、意図して「なし」に設定したか否かを明示するためにも、モーダルウィンドウを表示することは有効であった。
【０００４】
しかしながら、Windows8以降のＯＳに搭載されているWindows Storeから配信されるアプリケーション（Windows Storeアプリ）の印刷設定画面では、モーダルウィンドウでの表示が不可能となった。また、この印刷設定画面には、ＯＳが管理する［ＯＫ］ボタンが配置されており、この［ＯＫ］ボタンを選択すると、印刷設定が完了したと判断してジョブの処理が開始される。そのため、付加情報が適切に入力されていない状態でジョブの処理が開始されてしまうという不都合が生じる。
【０００５】
このような背景から、Windows Storeアプリの印刷設定画面を使用して、付加情報の入力が必要な設定項目を設定する場合は、従来と同様に、ユーザの意思による付加情報の入力完了の指示を明示化し、エラーチェックを行うための方法が必要である。その方法の１つとして、印刷設定画面内に仮想ウィンドウを表示し、その仮想ウィンドウ内に、ＩＤやパスワードなどの付加情報を入力する欄、及び、［ＯＫ］ボタンなどの付加情報の入力完了を指示するボタンを設ける方法が提案されている。
【０００６】
上記印刷設定に関する技術として、例えば、下記特許文献１には、印刷設定画面が表示された状態で行われるユーザ操作に従って印刷設定情報を設定する設定手段と、設定途中で前記印刷設定画面が閉じられた後に前記印刷設定画面が再表示される場合、前記印刷設定画面が閉じられる前に前記設定手段により設定された印刷設定情報を反映させた前記印刷設定画面を表示する制御を行う制御手段を備える情報処理装置が開示されている。
【０００７】
また、下記特許文献２には、画像処理装置と端末装置とがネットワークを介して接続されたジョブ実行システムであって、前記端末装置は、１個または複数個の設定項目に、ユーザにより設定された、前記画像処理装置にジョブを実行させるための設定値を受け付ける受付手段と、前記受付手段により受け付けられた設定値を有するジョブを画像処理装置に送信する送信手段と、を備え、前記画像処理装置は、前記端末装置から送信されたジョブを受信する受信手段と、前記受信手段により受信されたジョブを実行するジョブ実行手段と、前記受信手段により受信されたジョブについての前記設定項目の中に、設定値が未確定の設定項目が存在するか否かを判定する判定手段と、表示手段と、前記判定手段により、設定値が未確定の設定項目が存在していると判定された場合に、前記ジョブ実行手段によるジョブの実行を保留するとともに、前記設定値が未確定の設定項目にユーザが設定値を設定するための設定画面を前記表示手段に表示させる制御手段と、を備えた構成が開示されている。
【先行技術文献】
【特許文献】
【０００８】
【特許文献１】特開２０１４−１３４９９２号公報
【特許文献２】特開２０１０−０７４３１１号公報
【発明の概要】
【発明が解決しようとする課題】
【０００９】
仮想ウィンドウ内に付加情報を入力する欄及び付加情報の入力完了を指示するボタンを設ける方法では、付加情報の設定を確定する前に、ユーザが誤ってＯＳが管理する［ＯＫ］ボタンを選択すると、付加情報の設定が確定せずに設定操作が終了してしまう。そして、設定が確定していないことにユーザが気付かずにジョブの処理が開始されると、付加情報が不正な設定値であった場合は設定がキャンセルされて通常印刷されてしまい、情報漏洩が発生する可能性がある。また、付加情報が不正な設定値（仕様外の値）のまま出力すると、プリンタ本体側で不具合が発生する可能性もある。また、このような問題は、印刷設定画面でプリンタに印刷を指示するジョブを作成する場合に限らず、設定画面で処理装置に任意の処理を指示する任意のジョブを作成する場合においても同様に生じる。
【００１０】
本発明は上記問題点に鑑みてなされたものであり、その主たる目的は、意図しない設定でジョブが実行されないようにして、情報漏洩や不具合の発生を未然に防止することができる設定制御プログラム及び設定制御方法を提供することにある。
【課題を解決するための手段】
【００１１】
本発明の一側面は、ジョブを作成する指示装置と、前記ジョブを処理する処理装置と、を含むシステムにおける、前記指示装置で動作する設定制御プログラムであって、前記指示装置に、付加情報の入力を要する所定の設定項目を含む設定画面を表示部に表示させ、前記設定画面で前記所定の設定項目が選択されたら、前記付加情報を入力させる第１処理、前記設定画面の設定に従ってジョブを作成し、当該ジョブを前記処理装置に出力する第２処理、を実行させ、前記第２処理では、前記付加情報の入力完了が指示されない状態で、ＯＳが管理するＵＩ（User Interface）の操作によりジョブ開始が指示された場合は、前記ジョブをキャンセル可能にすることを特徴とする。
【００１２】
本発明の一側面は、ジョブを作成する指示装置と、前記ジョブを処理する処理装置と、を含むシステムにおける設定制御方法であって、前記指示装置は、付加情報の入力を要する所定の設定項目を含む設定画面を表示部に表示させ、前記設定画面で前記所定の設定項目が選択されたら、前記付加情報を入力させる第１処理と、前記設定画面の設定に従ってジョブを作成し、当該ジョブを前記処理装置に出力する第２処理と、を実行し、前記第２処理では、前記付加情報の入力完了が指示されない状態で、ＯＳが管理するＵＩの操作によりジョブ開始が指示された場合は、前記ジョブをキャンセル可能にすることを特徴とする。
【発明の効果】
【００１３】
本発明の設定制御プログラム及び設定制御方法によれば、意図しない設定でジョブが実行されないようにして、情報漏洩や不具合の発生を未然に防止することができる。
【００１４】
その理由は、ジョブを作成する指示装置とジョブを処理する処理装置とを含むシステムにおいて、指示装置は、付加情報の入力を要する所定の設定項目を含む設定画面を表示部に表示させ、設定画面で所定の設定項目が選択されたら、付加情報を入力させる第１処理と、設定画面の設定に従ってジョブを作成し、当該ジョブを処理装置に出力する第２処理と、を実行し、第２処理では、付加情報の入力完了が指示されない状態で、ＯＳが管理するＵＩの操作によりジョブ開始が指示された場合は、ジョブをキャンセル可能にするからである。
【図面の簡単な説明】
【００１５】
【図１】本発明の第１の実施例に係る印刷システムの構成を模式的に示す図である。
【図２】本発明の第１の実施例に係るクライアント装置の構成を示すブロック図である。
【図３】本発明の第１の実施例に係るプリンタの構成を示すブロック図である。
【図４】本発明の第１の実施例に係る印刷システムの概略動作を説明する模式図である。
【図５】従来の印刷設定画面（Windows7以前）の一例を示す図である。
【図６】従来の印刷設定画面（Windows8以降）の一例を示す図である。
【図７】本発明の第１の実施例に係るクライアント装置に表示される印刷設定画面の一例を示す図である。
【図８】本発明の第１の実施例に係るクライアント装置又はプリンタに表示される警告画面の一例を示す図である。
【図９】本発明の第１の実施例に係るプリンタドライバ（設定制御プログラム）の処理（印刷設定からジョブ生成までの処理）を示すフローチャート図である。
【図１０】本発明の第１の実施例に係るプリンタの処理（印刷までの処理）を示すフローチャート図である。
【図１１】本発明の第２の実施例に係るクライアント装置に表示される印刷設定画面の一例を示す図である。
【図１２】本発明の第２の実施例に係るプリンタドライバ（設定制御プログラム）の処理（印刷設定からジョブ生成までの処理）を示すフローチャート図である。
【図１３】本発明の第２の実施例に係るプリンタドライバ（設定制御プログラム）の処理（再度、印刷設定画面を開く時の処理）を示すフローチャート図である。
【発明を実施するための形態】
【００１６】
背景技術で示したように、セキュリティ印刷などのＩＤやパスワードといった付加情報の入力が必要な設定項目では、処理が終了するまで他を操作できないモーダルウィンドウを表示することにより、ユーザの意思で付加情報の入力完了が指示されたことが分かるようにし、また、不正な値が入力されたときにエラー表示を行っていた。しかしながら、Windows Storeアプリの印刷設定画面ではモーダルウィンドウを表示することができず、印刷設定画面に設けられたＯＳが管理する［ＯＫ］ボタンを選択すると、印刷設定が完了したと判断してジョブの処理が開始される。そのため、付加情報が適切に入力されていない状態でジョブの処理が開始されてしまうなどの不都合が生じる。
【００１７】
そこで、Windows Storeアプリの印刷設定画面を使用する場合は、印刷設定画面内に仮想ウィンドウを表示し、その仮想ウィンドウ内に、ＩＤやパスワードなどの付加情報を入力する欄と［ＯＫ］ボタンなどの付加情報の入力完了を指示するボタンを設ける方法が提案されている。しかしながら、この方法では、付加情報の設定を確定する前に、ユーザが誤ってＯＳが管理する［ＯＫ］ボタンを選択すると、付加情報の設定が確定せずに設定操作が終了してしまう。そして、設定が確定していないことにユーザが気付かずにジョブの処理が開始されると、不正な設定値がキャンセルされて通常印刷されることによって情報漏洩の問題が発生したり、不正な設定値のまま印刷処理が実行されることによってプリンタ本体側で不具合が発生したりする可能性があった。また、このような問題は、印刷設定画面でプリンタに印刷を指示するジョブを作成する場合に限らず、設定画面で処理装置に任意の処理を指示する任意のジョブを作成する場合においても同様に生じる。
【００１８】
そこで、本発明の一実施の形態では、ジョブを作成する指示装置とジョブを処理する処理装置とを含むシステムにおいて、指示装置は、付加情報の入力を要する所定の設定項目を含む設定画面を表示部に表示させ、設定画面で所定の設定項目が選択されたら、付加情報を入力させる第１処理と、設定画面の設定に従ってジョブを作成し、当該ジョブを処理装置に出力する第２処理と、を実行し、第２処理では、付加情報の入力完了が指示されない状態で、ＯＳが管理するＵＩの操作によりジョブ開始が指示された場合は、ジョブをキャンセル可能にする。
【００１９】
具体的には、印刷を指示するジョブを作成する印刷指示装置とジョブに従って印刷処理を実行するプリンタとを含む印刷システムにおいて、以下の処理を実行する。
（１）印刷指示装置は、印刷設定画面で付加情報の入力が必要な設定項目が選択された場合は、印刷設定画面内、若しくは、仮想ウィンドウ内に、付加情報を入力するためのＵＩと、付加情報の入力完了を指示する指示部（例えば、［ＯＫ］ボタン）を表示する。
（２）印刷指示装置は、上記ＵＩで付加情報の入力が確定したか否か（上記指示部が選択されたか否か）を判定する。
（３）印刷指示装置は、上記入力ＵＩで付加情報の入力が確定しない状態（上記指示部により付加情報の入力完了が指示されない状態）で、ＯＳが管理するＵＩの操作によりジョブ開始が指示された場合は、ジョブにその旨を示す情報（不正終了情報と呼ぶ。）を付加してプリンタに送信する。
（４）プリンタは、ジョブに不正終了情報が付加されている場合は、当該ジョブをキャンセルする。このジョブをキャンセルする処理は、プリンタ本体で行ってもよいし、ジョブを管理するアプリケーションで行ってもよい。
【００２０】
このような制御を行うことにより、ユーザが意図しない設定で印刷が実行されないようにして、情報漏洩や不具合の発生を未然に防止することができる。
【実施例１】
【００２１】
上記した本発明の一実施の形態についてさらに詳細に説明すべく、本発明の第１の実施例に係る設定制御プログラム及び設定制御方法について、図１乃至図１０を参照して説明する。図１は、本実施例の印刷システムの構成を示す模式図であり、図２は、クライアント装置の構成を示すブロック図、図３は、プリンタの構成を示すブロック図である。また、図４は、本実施例の印刷システムの概略動作を説明する模式図であり、図５及び図６は、従来の印刷設定画面、図７及び図８は、本実施例の印刷設定画面の一例を示す図である。また、図９は、本実施例のプリンタドライバ（設定制御プログラム）の処理を示すフローチャート図であり、図１０は、本実施例のプリンタの処理を示すフローチャート図である。なお、以下の実施例では、印刷設定画面でプリンタに印刷を指示するジョブを作成する場合を前提にして説明する。
【００２２】
図１に示すように、本実施例の印刷システムは、ジョブを送信して印刷を指示する１又は複数のクライアント装置１０（図１ではクライアント装置Ａ及びクライアント装置Ｂ）と、ジョブを受信して印刷を実行する１又は複数のプリンタ２０（図１ではプリンタＡ、プリンタＢ及びプリンタＣ）とで構成される。これらは、イーサネット（登録商標）、トークンリング、ＦＤＤＩ（Fiber-Distributed Data Interface）等の規格により定められるＬＡＮ（Local Area Network）等の通信ネットワークやＵＳＢ（Universal Serial Bus）によって接続されている。以下、各装置について詳述する。
【００２３】
［クライアント装置］
図２（ａ）に示すように、クライアント装置１０は、制御部１１と、記憶部１２と、通信Ｉ／Ｆ部１３と、表示部１４と、操作部１５などで構成される。
【００２４】
制御部１１は、ＣＰＵ（Central Processing Unit）１１ａと、ＲＯＭ（Read Only Memory）１１ｂやＲＡＭ（Random Access Memory）１１ｃなどのメモリとで構成される。図２（ｂ）に示すように、ＣＰＵ１１ａは、ＯＳ（Operating System）１６、アプリケーション１７、プリンタ２０を制御するプリンタドライバ１８をＲＯＭ１１ｂ又は記憶部１２から読み出し、ＲＡＭ１１ｃに展開して実行する。
【００２５】
ＯＳ１６は、例えば、Microsoft社のWindows（特に、モーダルウィンドウの表示ができないWindows8以降）のＯＳである。
【００２６】
アプリケーション１７は、ＯＳ１６上で動作するプログラム（例えば、Microsoft社のOffice（登録商標）など）であり、印刷対象となる原稿データを作成する。
【００２７】
プリンタドライバ１８は、ＯＳ１６上で動作するプログラム（設定制御プログラム）であり、アプリケーション１７と連動して、プリンタ２０に印刷指示を行う。このプリンタドライバ１８は、図２（ｃ）に示すように、印刷設定ＵＩ部１８ａ、レンダリング部１８ｂなどで構成される。
【００２８】
印刷設定ＵＩ部１８ａは、ＵＩ処理部、印刷設定処理部などを含む。ＵＩ処理部は、付加情報の入力を要する設定項目を含む印刷設定画面を表示部１４に表示させる。そして、付加情報の入力を要する設定項目が選択されたら、印刷設定画面内に、付加情報を入力可能にするＵＩと、付加情報の入力完了を指示する指示部（例えば、［ＯＫ］ボタン）と、を表示する。その際、ＵＩ処理部は、付加情報の入力を要する設定項目が選択されたらフラグを設定し、上記指示部が操作されたらフラグを削除する。また、印刷設定処理部は、印刷設定画面の各項目の設定値が適切な値であるか、競合していないかなどの確認を行い、印刷設定情報を生成する。
【００２９】
レンダリング部１８ｂは、描画データ生成部などを含む。描画データ生成部は、アプリケーション１７から受け取った原稿データをプリンタ２０が解釈可能なデータに変換する。そして、変換したデータに印刷設定情報を付加したジョブを作成し、プリンタ２０に出力する。その際、付加情報の入力完了が指示されない状態で（上記指示部が操作されずに）、ＯＳ１６が管理するＵＩ（例えば、［ＯＫ］ボタン）の操作によりジョブ開始が指示された場合は、ジョブに不正終了情報（付加情報の入力完了が指示されない状態でジョブ開始が指示された旨の情報やその原因となった設定項目を特定する情報）を付加し、プリンタ２０がジョブをキャンセルできるようにする。また、ＵＩ処理部がフラグを設定する場合において、フラグが設定されている状態でジョブ開始が指示された場合は、ジョブに不正終了情報を付加する。また、描画データ生成部は、必要に応じて、ジョブに不正終了情報を付加した場合は、表示部１４に、ユーザが意図しない設定でジョブ開始が指示された旨を示す警告画面を表示させたり、ジョブに不正終了情報を付加する原因となった設定項目を特定する情報を表示させたりする。
【００３０】
なお、プリンタドライバ１８は、複数のプリンタ２０を制御できるユニバーサルプリンタドライバ（ＵＰＤ：Universal Printer Driver）としてもよい。このＵＰＤは、各クライアント装置１０にインストールして使用しても良いし、サーバ装置などにインストールし、各クライアント装置１０で利用できるように共有に設定しても良い。
【００３１】
記憶部１２は、ＨＤＤ（Hard Disk Drive）やＳＳＤ（Solid State Drive）などで構成され、プログラムやジョブなどを記憶する。
【００３２】
通信Ｉ／Ｆ部１３は、ＮＩＣ（Network Interface Card）やモデムなどで構成され、通信ネットワークを介して、プリンタ２０にジョブを送信する。
【００３３】
表示部１４は、液晶表示装置（ＬＣＤ：Liquid Crystal Display）や有機ＥＬ（electroluminescence）表示装置等からなり、印刷条件を設定するための印刷設定画面や上記警告画面などを表示する。
【００３４】
操作部１５は、マウスやキーボード等からなり、アプリケーション１７による原稿の作成、印刷設定画面における印刷条件の設定、付加情報の入力、付加情報の入力完了指示などの操作を可能にする。
【００３５】
［プリンタ］
図３に示すように、プリンタ２０は、制御部２１と、記憶部２２と、通信Ｉ／Ｆ部２３と、表示・操作部２４と、画像処理部２５と、印刷処理部２６などで構成される。
【００３６】
制御部２１は、ＣＰＵ２１ａと、ＲＯＭ２１ｂやＲＡＭ２１ｃなどのメモリとで構成される。ＣＰＵ２１ａは、各種プログラムをＲＯＭ２１ｂ又は記憶部２２から読み出してＲＡＭ２１ｃに展開し実行し、プリンタ２０全体の動作を制御する。特に、本実施例では、ジョブに不正終了情報が付加されている場合は、表示・操作部２４に、ユーザが意図しない設定でジョブ開始が指示された可能性があるために当該ジョブをキャンセルした旨を示す警告画面を表示させたり、ジョブに不正終了情報が付加される原因となった設定項目を特定する情報を表示させたりする。
【００３７】
記憶部２２は、ＨＤＤやＳＳＤなどで構成され、プログラムやジョブ、画像処理部２５が生成した印刷用の画像データなどを記憶する。
【００３８】
通信Ｉ／Ｆ部２３は、ＮＩＣやモデムなどで構成され、通信ネットワークを介して、クライアント装置１０からジョブを受信する。
【００３９】
表示・操作部２４は、液晶表示装置や有機ＥＬ表示装置等の表示部上に、透明電極が格子状に配置された感圧式の操作部（タッチパネル）を備え、制御部２１の制御により、プリンタ２０を操作するための画面や印刷条件を設定する画面、上記警告画面などを表示すると共に、各種設定や指示などを可能にする。
【００４０】
画像処理部２５は、ジョブを解析し、ジョブに含まれる原稿データの各ページをラスタライズしてページ毎の画像データを生成し、必要に応じて画像処理（色調整、濃度調整、サイズ調整などの処理）やスクリーニングを行った後、印刷処理部２６で印刷可能な画像データに変換する。また、画像処理部２５は、ジョブに不正終了情報が付加されているかを判断し、ジョブに不正終了情報が付加されている場合は、当該ジョブをキャンセルする（印刷処理部２６に画像データを送信しない）。
【００４１】
印刷処理部２６は、電子写真方式や静電記録方式等の作像プロセスを利用した画像形成に必要な構成要素で構成され、画像処理部２５で作成した画像データに基づく印刷画像を、印刷設定情報で指定された用紙に印刷する。具体的には、帯電装置により帯電された感光体ドラムに露光装置から画像に応じた光を照射して静電潜像を形成し、現像装置で帯電したトナーを付着させて現像し、そのトナー像を転写ベルトに１次転写し、転写ベルトから用紙に２次転写し、更に定着装置で用紙上のトナー像を定着させる処理を行う。
【００４２】
なお、図１乃至図３は本実施例の印刷システムの一例であり、その構成は適宜変更可能である。例えば、本実施例では、プリンタ２０に画像処理部２５を設け、クライアント装置１０からジョブを取得する構成とするが、通信ネットワークにＲＩＰ（Raster Image Processor）部を備えるコントローラなどを設け、当該コントローラがクライアント装置１０からジョブを取得し、ジョブをラスタライズして画像データを生成し、生成した画像データをプリンタ２０に送信する構成としてもよい。その場合は、当該コントローラがジョブに不正終了情報が付加されているかを判断し、ジョブに不正終了情報が付加されている場合は、当該ジョブをキャンセルしてプリンタ２０に画像データを送信しないようにすることができる。
【００４３】
以下、本実施例の印刷システムの概略動作について、図４の印刷システムの概略動作を示す模式図、図５乃至図８の画面例を参照して説明する。図４に示すように、ユーザがアプリケーション１７を用いて原稿を作成して印刷を指示すると、原稿データがプリンタドライバ１８に送信され、印刷が指示される。
【００４４】
プリンタドライバ１８のレンダリング部１８ｂ（描画データ生成部）は、原稿データに基づいて、印刷用の画像データを生成する。また、印刷設定ＵＩ部１８ａ（ＵＩ処理部）は、表示・操作部２４に印刷設定画面を表示させる。この印刷設定画面について詳細に説明する。
【００４５】
図５は、従来の印刷設定画面（Windows7以前のＯＳ上で動作するプリンタドライバの印刷設定画面）の表示例である。ユーザが印刷設定を指示すると、メイン画面３０が開く。付加情報ありの「セキュリティ印刷」を設定する場合、メイン画面３０の「出力方法」から「セキュリティ印刷」を選択すると、「セキュリティ印刷」の付加情報である「ＩＤ」、「パスワード」を入力するためのサブ画面３１が表示される。サブ画面３１は、モーダルウィンドウで構成されており、ＯＫ、キャンセルをユーザが操作しない限りモーダルウィンドウは終了せず、メイン画面３０を操作することもできない。ＯＫ、キャンセルを操作すると、サブ画面３１は閉じ、メイン画面３０に戻る。ＯＫを操作した場合、「ＩＤ」、「パスワード」が不正な入力値でないかチェックし、不正でない場合は設定値を確定してサブ画面３１を閉じ、不正な場合は、エラーメッセージを表示し、サブ画面３１は開いたままとする。
【００４６】
図６は、従来のWindows Storeアプリでの印刷設定画面３２の表示例である。破線内が、プリンタドライバが表示している印刷設定画面３２であり、ＯＳの仕様により、この破線内の領域（ドライバ表示領域３４）でしかプリンタドライバは情報を表示することができない。破線外（ＯＳ表示領域３３）のＯＫボタンはＯＳが表示しており、このＯＳのＯＫボタン３５を選択すると、プリンタドライバに終了処理の指示が通知される。プリンタドライバは終了処理を開始し、印刷設定画面３２を閉じる。なお、ＯＳのＯＫボタン３５はキーボードのReturnキーでも操作することができる。
【００４７】
図７は、本実施例のWindows Storeアプリでの印刷設定画面４０の表示例である。この印刷設定画面４０には、付加情報の入力を要する設定項目の一つである「セキュリティ印刷」に対して、付加情報である「ＩＤ」、「パスワード」を入力させるための付加情報入力欄４１が表示され、更に、「ＩＤ」、「パスワード」の入力を確定させるための入力完了指示部４２（ここでは「ＯＫ」ボタン）が表示される。そして、この入力完了指示部４２が選択された時に付加情報入力欄４１の入力内容を確認し、適切な値が入力されている場合はフラグをセットする。なお、この例では、入力の確定のために「ＯＫ」ボタンを用いたが、例えば、付加情報を入力した後、ドライバ表示領域３４内の別の設定項目が選択されたら入力を確定させる方法などを用いることもできる。そして、ＯＳのＯＫボタン４３を選択すると、プリンタドライバに終了処理の指示が通知される。プリンタドライバは終了処理を開始し、印刷設定画面４０を閉じる。
【００４８】
そして、プリンタドライバ１８は、付加情報の入力が必要な設定項目が選択されなかった場合、又は、付加情報の入力が必要な設定項目が選択され、付加情報として適切な値が入力されて入力完了指示部４２が指示された場合は、印刷設定情報を付加したジョブをプリンタ２０に送信する。また、付加情報の入力が必要な設定項目が選択され、入力完了指示部４２が指示されなかった場合は、不正終了情報を付加したジョブをプリンタ２０に送信する。なお、不正終了情報を付加したジョブは、原稿データや印刷設定情報を含んでいてもよいし、含んでいなくてもよい。
【００４９】
ジョブを受信したプリンタ２０は、ジョブを解析し、ジョブに不正終了情報が付加されていない場合は、印刷設定情報に従い、ジョブに含まれる原稿データに基づいて印刷処理を実行する。また、ジョブに不正終了情報が付加されている場合は、ジョブの処理をキャンセルする。その際、必要に応じて、表示・操作部２４に、図８に示すように、ユーザが意図しない設定でジョブ開始が指示された可能性があるためにジョブをキャンセルした旨を示す警告画面４４を表示したり、ジョブに不正終了情報が付加される原因となった設定項目を特定する情報を表示したりする。
【００５０】
以下、本実施例の印刷システムの動作について説明する。まず、クライアント装置１０におけるプリンタドライバ１８（設定制御プログラム）の処理について説明する。ＣＰＵ１１ａは、ＲＯＭ１１ｂ又は記憶部１２に記憶したプリンタドライバ１８（設定制御プログラム）をＲＡＭ１１ｃに展開して実行することにより、図９のフローチャート図に示す各ステップの処理を実行する。
【００５１】
図９は、印刷設定からジョブを生成するまでの処理を示している。ユーザが、アプリケーション１７で印刷を指示すると、印刷設定ＵＩ部１８ａは、表示部１４に印刷設定画面４０を表示させる（Ｓ１０１）。次に、印刷設定ＵＩ部１８ａは、付加情報の入力を必要とする設定項目（付加情報ありの設定項目）に対する操作を監視し（Ｓ１０２）、ユーザが操作部１５を操作して付加情報ありの設定項目をＯＮにすると（Ｓ１０２のＹｅｓ）、フラグを設定（ここでは、”AddInfo”に１を設定）し、記憶部１２に記憶する（Ｓ１０３）。図７の例では、「セキュリティ印刷」を選択すると、AddInfo＝１と”Security”の情報を記憶する。
【００５２】
次に、印刷設定ＵＩ部１８ａは、付加情報の入力が確定した（付加情報入力欄４１に情報が入力され、入力完了指示部４２が操作された）か、若しくは、付加情報ありの設定項目がキャンセルされた（当該設定項目がＯＦＦにされた）かを判断し（Ｓ１０４）、付加情報の入力が確定、若しくは、付加情報ありの設定項目がキャンセルされた場合は（Ｓ１０４のＹｅｓ）、フラグを削除する（”AddInfo”に０を設定する）（Ｓ１０５）。そして、Ｓ１０２〜Ｓ１０５の処理を、ユーザがＯＳのＯＫボタンを押下するまで繰り返し、ユーザがＯＳのＯＫボタンを押下したら（Ｓ１０６のＹｅｓ）、他の印刷設定情報と同様にフラグ（AddInfoの情報）を記憶部１２に記憶する。すなわち、付加情報の入力が確定する前にＯＳのＯＫボタンが押下されると、フラグ（AddInfoの情報）が残ることになる。
【００５３】
次に、レンダリング部１８ｂは、ジョブの生成を開始し（Ｓ１０７）、フラグがある（AddInfoに値がある）かを判断する（Ｓ１０８）。フラグがある（AddInfoに値がある）場合は（Ｓ１０８のＹｅｓ）、不正終了情報（付加情報の入力完了が指示されない状態でジョブ開始が指示された旨の情報やその原因となった設定項目を特定する情報）を付加したジョブを作成し（Ｓ１０９）、フラグがない（AddInfoに値がない）場合は（Ｓ１０８のＮｏ）、原稿データをレンダリングして通常のジョブを作成する（Ｓ１１０）。不正終了情報を付加したジョブを作成した場合は、必要に応じて、表示部１４に、ユーザが意図しない設定でジョブ開始が指示された旨を表示したり、ジョブに不正終了情報を付加する原因となった設定項目を特定する情報を表示したりする。その後、レンダリング部１８ｂは、Ｓ１０９又はＳ１１０で作成したジョブをプリンタ２０に送信する（Ｓ１１１）。
【００５４】
次に、プリンタ２０の動作について、図１０のフローチャート図を参照して説明する。なお、ジョブをキャンセルする処理は、クライアント装置１０にインストールされた、プリンタドライバ１８が出力するジョブを取得する（プリンタ２０に送信するジョブを横取りする）アプリケーションが実行しても良い。
【００５５】
プリンタ２０は、クライアント装置１０（プリンタドライバ１８）からジョブを受け取ると、画像処理部２５は、ジョブを解析し（Ｓ２０１）、ジョブに不正終了情報が付加されているかを判断する（Ｓ２０２）。ジョブに不正終了情報が付加されていない場合は（Ｓ２０２のＮｏ）、画像処理部２５及び印刷処理部２６は、ジョブの種類に基づいて印刷処理を実行する（Ｓ２０３）。
【００５６】
一方、ジョブに不正終了情報が付加されている場合は（Ｓ２０２のＹｅｓ）、画像処理部２５は、ジョブをキャンセルする（印刷処理部２６に画像データを送信しない）（Ｓ２０４）。この処理により、付加情報の入力を必要とする設定項目が不正な設定値であった場合に、設定がキャンセルされて通常印刷が実施されることがなくなる。また、不正な設定値（仕様外の値）のまま出力することによって、プリンタ２０に不具合が発生することもなくなる。そして、制御部２１は、必要に応じて、表示・操作部２４に、ユーザが意図しない設定でジョブ開始が指示された可能性があるために当該ジョブをキャンセルした旨を表示したり、その原因となった設定項目を特定する情報を表示したりする（Ｓ２０５）。
【００５７】
以上説明したように、印刷設定画面４０に付加情報入力欄４１及び入力完了指示部４２を設け、入力完了指示部４２の操作に応じて変化するフラグに基づいてジョブを生成することにより、ユーザが意図しない設定で印刷が実行されないようにして、情報漏洩や不具合の発生を未然に防止することができる。
【実施例２】
【００５８】
次に、本発明の第２の実施例に係る設定制御プログラム及び設定制御方法について、図１１乃至図１３を参照して説明する。図１１は、本実施例の印刷設定画面の一例を示す図であり、図１２及び図１３は、本実施例のプリンタドライバ（設定制御プログラム）の処理を示すフローチャート図である。
【００５９】
前記した第１の実施例では、印刷設定画面４０内に付加情報入力欄４１と入力完了指示部４２とを設けたが、これらは仮想ウィンドウに表示することもできる。図１１は、Windows Storeアプリの印刷設定画面であり、メイン画面４０ａとサブ画面４０ｂとを遷移可能に表示する例である。図６の破線の枠内に仮想ウィンドウを表示することにより、サブ画面４０ｂを表示することができる。しかしながら、サブ画面４０ｂを表示している時でも、ＯＳのＯＫボタン４３を選択すると、プリンタドライバに終了処理の指示が通知され、プリンタドライバは終了処理を開始し、サブ画面４０ｂを閉じてしまう。そこで、本実施例では、第１の実施例と同様にフラグを利用して、ユーザが意図しない設定で印刷が実行されないようにする。
【００６０】
その場合、印刷システムの構成は第１の実施例の図１乃至図４と同様であるが、印刷設定ＵＩ部１８ａは、印刷設定画面（メイン画面４０ａ）で付加情報の入力を要する設定項目が選択された場合は、表示部１４に仮想ウィンドウ（サブ画面４０ｂ）を表示し、仮想ウィンドウ内に、付加情報を入力可能にするＵＩと、付加情報の入力完了を指示する指示部（例えば、［ＯＫ］ボタン）と、を表示する。その際、仮想ウィンドウが表示されたらフラグを設定し、仮想ウィンドウで上記指示部が操作されたらフラグを削除する。また、印刷設定ＵＩ部１８ａは、再度、印刷設定設定画面を表示する際に、直前のジョブに不正終了情報が付加されている場合は、上記指示部が操作されずに閉じられた（すなわち、ジョブに不正終了情報を付加する原因となった設定項目に対応する）仮想ウィンドウ（サブ画面４０ｂ）を表示する。
【００６１】
以下、本実施例のクライアント装置１０におけるプリンタドライバ１８（設定制御プログラム）の処理について説明する。ＣＰＵ１１ａは、ＲＯＭ１１ｂ又は記憶部１２に記憶したプリンタドライバ１８（設定制御プログラム）をＲＡＭ１１ｃに展開して実行することにより、図１２及び図１３のフローチャート図に示す各ステップの処理を実行する。
【００６２】
図１２は、図１１の印刷設定画面を用いた場合の印刷設定からジョブを生成するまでの処理を示している。ユーザが、アプリケーション１７で印刷を指示すると、印刷設定ＵＩ部１８ａは、表示部１４に印刷設定画面のメイン画面４０ａを表示させる（Ｓ３０１）。次に、印刷設定ＵＩ部１８ａは、付加情報の入力を必要とする設定項目（付加情報ありの設定項目）に対する操作を監視し（Ｓ３０２）、ユーザが操作部１５を操作して付加情報ありの設定項目をＯＮにすると（Ｓ３０２のＹｅｓ）、表示部１４にサブ画面４０ｂを表示させ（Ｓ３０３）、フラグを設定（ここでは、”AddInfo”に１を設定）し、記憶部１２に記憶する（Ｓ３０４）。図１１の例では、「セキュリティ印刷」を選択すると、AddInfo＝１と”Security”の情報を記憶する。
【００６３】
次に、印刷設定ＵＩ部１８ａは、付加情報の入力が確定した（付加情報入力欄４１に情報が入力され、入力完了指示部４２が操作された）か、若しくは、付加情報ありの設定項目がキャンセルされた（当該設定項目がＯＦＦにされた）かを判断し（Ｓ３０５）、付加情報の入力が確定、若しくは、付加情報ありの設定項目がキャンセルされた場合は（Ｓ３０５のＹｅｓ）、サブ画面４０ｂを閉じ（Ｓ３０６）、フラグを削除する（”AddInfo”に０を設定する）（Ｓ３０７）。そして、Ｓ３０２〜Ｓ３０７の処理を、ユーザがＯＳのＯＫボタンを押下するまで繰り返し、ユーザがＯＳのＯＫボタンを押下したら（Ｓ３０８のＹｅｓ）、他の印刷設定情報と同様にフラグ（AddInfoの情報）を記憶部１２に記憶する。すなわち、サブ画面４０ｂで付加情報の入力が確定する前にＯＳのＯＫボタンが押下されると、フラグ（AddInfoの情報）が残ることになる。
【００６４】
次に、レンダリング部１８ｂは、ジョブの生成を開始し（Ｓ３０９）、フラグがある（AddInfoに値がある）かを判断する（Ｓ３１０）。フラグがある（AddInfoに値がある）場合は（Ｓ３１０のＹｅｓ）、不正終了情報（付加情報の入力完了が指示されない状態でジョブ開始が指示された旨の情報やその原因となった設定項目を特定する情報）を付加したジョブを作成し（Ｓ３１１）、フラグがない（AddInfoに値がない）場合は（Ｓ３１０のＮｏ）、原稿データをレンダリングして通常のジョブを作成する（Ｓ３１２）。不正終了情報を付加したジョブを作成した場合は、必要に応じて、表示部１４に、ユーザが意図しない設定でジョブ開始が指示された旨を表示したり、ジョブに不正終了情報を付加する原因となった設定項目を特定する情報を表示したりする。その後、レンダリング部１８ｂは、Ｓ３１１又はＳ３１２で作成したジョブをプリンタ２０に送信する（Ｓ３１３）。
【００６５】
図１３は、ユーザが再度、印刷設定画面を開く操作を行った場合の処理を示している。印刷設定ＵＩ部１８ａは、印刷設定画面を開く操作を検知したら（Ｓ４０１）、フラグがある（AddInfoに値がある）かを判断する（Ｓ４０２）。フラグがない（AddInfoに値がない）場合は（Ｓ４０２のＮｏ）、通常通りのメイン画面４０ａを表示し、（Ｓ４０３）、フラグがある（AddInfoに値がある）場合は（Ｓ４０２のＹｅｓ）、不正終了した（入力完了指示部４２が操作されずに閉じられた）サブ画面４０ｂを表示する（Ｓ４０４）。
【００６６】
以上説明したように、サブ画面４０ｂに付加情報入力欄４１及び入力完了指示部４２を設け、入力完了指示部４２の操作に応じて変化するフラグに基づいてジョブを生成することにより、ユーザが意図しない設定で印刷が実行されないようにして、情報漏洩や不具合の発生を未然に防止することができる。
【００６７】
なお、本発明は上記実施例に限定されるものではなく、本発明の趣旨を逸脱しない限りにおいて、その構成や制御は適宜変更可能である。
【００６８】
例えば、上記各実施例では、クライアント装置１０で動作するプリンタドライバ１８がプリンタ２０にジョブを送信し、プリンタ２０がジョブを解析してジョブを実行するかキャンセルするかを判断したが、プリンタドライバ１８が、クライアント装置１０で動作する所定のアプリケーション又はコントローラなどで動作する所定のアプリケーションにジョブを送信し、当該アプリケーションがジョブを解析してジョブを実行するかキャンセルするかを判断するようにしてもよい。
【００６９】
また、上記各実施例では、印刷設定画面でプリンタ２０に印刷を指示するジョブを作成する場合について記載したが、設定画面で処理装置に任意の処理を指示する任意のジョブを作成する場合に対して、本発明の設定制御方法を同様に適用することができる。
【産業上の利用可能性】
【００７０】
本発明は、意図しない設定でジョブが実行されないように制御する設定制御プログラム、当該設定制御プログラムを記録した記録媒体及び設定制御方法に利用可能である。
【符号の説明】
【００７１】
１０  クライアント装置
１１  制御部
１１ａ  ＣＰＵ
１１ｂ  ＲＯＭ
１１ｃ  ＲＡＭ
１２  記憶部
１３  通信Ｉ／Ｆ部
１４  表示部
１５  操作部
１６  ＯＳ
１７  アプリケーション
１８  プリンタドライバ
１８ａ  印刷設定ＵＩ部
１８ｂ  レンダリング部
２０  プリンタ
２１  制御部
２１ａ  ＣＰＵ
２１ｂ  ＲＯＭ
２１ｃ  ＲＡＭ
２２  記憶部
２３  通信Ｉ／Ｆ部
２４  表示・操作部
２５  画像処理部
２６  印刷処理部
３０  メイン画面
３１  サブ画面
３２  印刷設定画面（Windows storeアプリ）
３３  ＯＳ表示領域
３４  ドライバ表示領域
３５  ＯＳのＯＫボタン
４０  印刷設定画面（Windows storeアプリ）
４０ａ  メイン画面
４０ｂ  サブ画面
４１  付加情報入力欄
４２  入力完了指示部
４３  ＯＳのＯＫボタン
４４  警告画面
【図１】
2019125071.tif 000003
【図２】
2019125071.tif 000004
【図３】
2019125071.tif 000005
【図４】
2019125071.tif 000006
【図５】
2019125071.tif 000007
【図６】
2019125071.tif 000008
【図７】
2019125071.tif 000009
【図８】
2019125071.tif 000010
【図９】
2019125071.tif 000011
【図１０】
2019125071.tif 000012
【図１１】
2019125071.tif 000013
【図１２】
2019125071.tif 000014
【図１３】
2019125071.tif 000015